(57)【要約】【課題】無線通信システムのマルチメディアブロードキャストマルチキャストサービス（ＭＢＭＳ）の非アクティブ化方法を提供すること。【解決手段】ＳＧＳＮでＭＢＭＳのユーザ機器のコンテキストの非アクティブ化を完了するステップと、ユーザ機器でＭＢＭＳのユーザ機器のコンテキストの非アクティブ化を完了するステップと、ＧＧＳＮでＭＢＭＳのユーザ機器のコンテキストの非アクティブ化を完了するステップと、ＳＧＳＮで、ＭＢＭＳのユーザ機器のコンテキストの非アクティブ化を完了した後で、ラジオアクセスネットワークのラジオネットワークコントローラ（ＲＮＣ）でＭＢＭＳのユーザ機器のコンテキストの非アクティブ化を完了するステップを含む。ＲＮＣにおいてＭＢＭＳのユーザ機器のコンテキストが削除されるため、ラジオリソースの浪費が防止され、ネットワーク要素間でデータが一貫していないことによって引き起こされる隠れた問題がなくなる。【選択図】      図３
2006081173.tif 000002
【特許請求の範囲】
【請求項１】
サービス提供ＧＰＲＳサポートノードで、マルチメディアブロードキャストマルチキャストサービスのユーザ機器のコンテキストの非アクティブ化を完了するステップと、
ユーザ機器で、マルチメディアブロードキャストマルチキャストサービスのユーザ機器のコンテキストの非アクティブ化を完了するステップと、
ゲートウェイＧＰＲＳサポートノードでマルチメディアブロードキャストマルチキャストサービスのユーザ機器のコンテキストの非アクティブ化を完了するステップとを含む、
無線通信システムのマルチメディアブロードキャストマルチキャストサービスを非アクティブ化する方法であって、
サービス提供ＧＰＲＳサポートノードがブロードキャストマルチキャストサービスのユーザ機器のコンテキストの非アクティブ化を完了した後で、ラジオアクセスネットワークのラジオネットワークコントローラでブロードキャストマルチキャストサービスのユーザ機器のコンテキストの非アクティブ化を完了するステップをさらに含むことを特徴とする方法。
【請求項２】
ラジオアクセスネットワークのラジオネットワークコントローラにおけるマルチメディアブロードキャストマルチキャストサービスのユーザ機器のコンテキストの非アクティブ化を完了する前記ステップは、
前記サービス提供ＧＰＲＳサポートノードが、少なくともＩＰマルチキャストアドレス、アクセスポイント名、および国際モバイルユーザ識別子を含むマルチメディアブロードキャストマルチキャストサービスのユーザサービスのリンク解除リクエストメッセージを前記ラジオアクセスネットワークに伝送するステップと、
前記ラジオアクセスネットワークがマルチメディアブロードキャストマルチキャストサービスのユーザ機器の前記リンク解除リクエストメッセージを受信した後で、マルチメディアブロードキャストマルチキャストサービスのユーザ機器の対応するコンテキストを前記無線ネットワークコントローラから除去するステップと、
マルチメディアブロードキャストマルチキャストサービスのユーザ機器の前記対応するコンテキストの除去が成功したかどうかを報告するように、前記ラジオアクセスネットワークが、少なくとも前記ＩＰマルチキャストアドレス、前記アクセスポイント名、および前記国際モバイルユーザ識別子を含むマルチメディアブロードキャストマルチキャストサービスのユーザ機器のリンク解除応答メッセージを前記サービス提供ＧＰＲＳサポートノードに伝送するステップとを含み、
前記ＩＰマルチキャストアドレスはユーザ機器が中止したいマルチメディアブロードキャストマルチキャストサービスを識別するように使用され、前記国際モバイルユーザ識別子は前記ユーザ機器を識別するように使用され、前記アクセスポイント名は外部パケットデータネットワークのネットワークインターフェイス名であることを特徴とする請求項１に記載の方法。
【請求項３】
無線通信システムのマルチメディアブロードキャストマルチキャストサービスを非アクティブ化する方法であって、
特定の状況で、ラジオアクセスネットワークのラジオネットワークコントローラがサービス提供ＧＰＲＳサポートノードによってトリガーされてマルチメディアブロードキャストマルチキャストサービスのユーザ機器のコンテキストの非アクティブ化を実行するステップを含むことを特徴とする方法。
【請求項４】
ラジオアクセスネットワークのラジオネットワークコントローラでマルチメディアブロードキャストマルチキャストサービスのユーザ機器のコンテキストの非アクティブ化を完了するステップは、
前記サービス提供ＧＰＲＳサポートネットワークが、少なくともＩＰマルチキャストアドレス、アクセスポイント名、および国際モバイルユーザ識別子を含むマルチメディアブロードキャストマルチキャストサービスのユーザ機器のリンク解除リクエストメッセージを前記ラジオアクセスネットワークに伝送するステップと、
前記ラジオアクセスネットワークがマルチメディアブロードキャストマルチキャストサービスのユーザ機器の前記リンク解除リクエストメッセージを受信した後で、マルチメディアブロードキャストマルチキャストサービスのユーザ機器の対応するコンテキストを前記ラジオネットワークコントローラから除去するステップと、
マルチメディアブロードキャストマルチキャストサービスのユーザ機器の前記対応するコンテキストの除去が成功したかどうかを報告するように、前記ラジオアクセスネットワークが、少なくとも前記ＩＰマルチキャストアドレス、前記アクセスポイント名、および前記国際モバイルユーザ識別子を含むマルチメディアブロードキャストマルチキャストサービスのユーザ機器のリンク解除応答メッセージを前記サービス提供ＧＰＲＳサポートノードに伝送するステップとを含み、
前記ＩＰマルチキャストアドレスはユーザ機器が中止したいマルチメディアブロードキャストマルチキャストサービスを識別するように使用され、前記国際モバイルユーザ識別子は前記ユーザ機器を識別するように使用され、前記アクセスポイント名は外部パケットデータネットワークのネットワークインターフェイス名であることを特徴とする請求項３に記載の方法。
【請求項５】
前記特定の状況は、前記無線通信システムによる前記マルチメディアブロードキャストマルチキャストサービスの処理でエラーが発生したときであることを特徴とする請求項３または４に記載の方法。
【請求項６】
無線通信システムでマルチメディアブロードキャストマルチキャストサービスをサポートすることが可能なサービス提供ＧＰＲＳサポートノードであって、
マルチメディアブロードキャストマルチキャストサービスのユーザ機器のリンク解除をリクエストする手段と、マルチメディアブロードキャストマルチキャストサービスのユーザ機器のコンテキストの非アクティブ化を前記ラジオネットワークコントローラで完了することをリクエストするために前記サービス提供ＧＰＲＳサポートノードがマルチメディアブロードキャストマルチキャストサービスのユーザ機器のコンテキストの非アクティブ化を完了した後でマルチメディアブロードキャストマルチキャストサービスのユーザ機器のリンク解除リクエストメッセージをラジオアクセスネットワークのラジオネットワークコントローラに伝送する手段と、マルチメディアブロードキャストマルチキャストサービスのユーザ機器のコンテキストの非アクティブ化を前記ラジオネットワークコントローラで完了することをリクエストするように前記無線通信システムによる前記マルチメディアブロードキャストマルチキャストサービスの処理でエラーが発生したときにマルチメディアブロードキャストマルチキャストサービスのユーザ機器のリンク解除リクエストメッセージを前記ラジオネットワークコントローラに伝送する手段を含むことを特徴とするノード。
【請求項７】
無線通信ネットワークでマルチメディアブロードキャストマルチキャストサービスをサポートすることが可能なラジオネットワークコントローラであって、
マルチメディアブロードキャストマルチキャストサービスのユーザ機器のリンク解除に応答する手段と、マルチメディアブロードキャストマルチキャストサービスのユーザ機器のリンク解除リクエストメッセージがサービス提供ＧＰＲＳサポートノードから受信されたときにマルチメディアブロードキャストマルチキャストのユーザ機器のコンテキストの非アクティブ化を前記ラジオネットワークコントローラで完了するように指示する手段と、マルチメディアブロードキャストマルチキャストサービスのユーザ機器のコンテキストの非アクティブ化の処理が成功した旨または前記ラジオネットワークコントローラで行われていない旨を報告するようにマルチメディアブロードキャストマルチキャストサービスのユーザ機器のリンク解除応答メッセージを前記サービス提供ＧＰＲＳサポートノードに後で伝送する手段を含むことを特徴とするラジオネットワークコントローラ。
【発明の詳細な説明】
【技術分野】
【０００１】
本発明は、広帯域符号分割多重接続（Ｗｉｄｅｂａｎｄ  Ｃｏｄｅ  Ｄｉｖｉｓｉｏｎ  Ｍｕｌｔｉｐｌｅ  ａｃｃｅｓｓ：ＷＣＤＭＡ）通信システムに関する。より具体的には、ＷＣＤＭＡ通信システムのマルチメディアブロードキャストマルチキャストサービス（Ｍｕｌｔｉｍｅｄｉａ  Ｂｒｏａｄｃａｓｔ  Ｍｕｌｔｉｃａｓｔ  Ｓｅｒｖｉｃｅ：ＭＢＭＳ）手順に関する。
【背景技術】
【０００２】
ＭＢＭＳは、３ＧＰＰ  Ｒｅｌｅａｓｅ  ６により導入されたキャパシティを伝送するポイントツーマルチポイントサービスである。ＭＢＭＳは、ネットワーク帯域幅の利用率、特にエアインターフェイスリソースの利用率を向上させるために、コアネットワークやアクセスネットワークリソースの共有、特にエアインターフェイスリソースの共有といったものを含むネットワークリソースの共有を通して、単一のデータソースから複数ユーザにデータが伝送されるポイントツーマルチポイントサービスの伝送を実現する。３ＧＰＰによって定義されているＭＢＭＳは、テキストのメッセージタイプの低速でのマルチキャストとブロードキャストを実現できるだけでなく、マルチメディアサービスの高速でのマルチキャストとブロードキャストも実現することができる。これは明らかに、モバイルデータの今後の発展傾向に従っている。
【０００３】
図１はＭＢＭＳを提供するＷＣＤＭＡ通信システムのアーキテクチャを示す概略図である。図１に示されているように、ＷＣＤＭＡ  ＭＢＭＳネットワークアーキテクチャは、ＷＣＤＭＡ／ＧＰＲＳパケットネットワークを基礎として、新しい機能エンティティ（例えば、ブロードキャストマルチキャストサービスセンター（ＢＭ−ＳＣ）１０５）をコアネットワーク１に組み込み、ＭＢＭＳ機能を既存のパケットドメイン機能エンティティ（ＵＥ  １０１、ラジオアクセスネットワーク（ＲＡＮ）１０２内に配備されているラジオネットワークコントローラ（ＲＮＣ、示されていない）、サービス提供ＧＰＲＳサポートノード（ＳＧＳＮ）１０３、およびゲートウェイＧＰＲＳサポートノード（ＧＧＳＮ）１０４など）に追加して、新しい論理共有チャネルを定義することで、エアインターフェイスリソースの共有を実現する。パブリックデータネットワーク２のマルチキャストブロードキャストソース１０６と接続されているＢＭ−ＳＣ  １０５は、モバイルネットワークでＭＢＭＳサービスを認可して開始し、ＭＢＭＳコンテンツの転送を制御するために使用される。コアネットワーク１にあるＳＧＳＮ  １０３とＧＧＳＮ  １０４は、ＭＢＭＳシステムでコアネットワーク内の伝送ネットワークを形成して、パケットデータの転送のためのルーティングを提供し、ここでＳＧＳＮ  １０３はユーザのためのネットワーク制御を実行し、ＧＧＳＮ  １０４はＭＢＭＳサービスデータの転送の役割を担うユーザインターフェイスを確立または解放する。ＲＡＮ  １０２はエアインターフェイスを介してＭＢＭＳサービスのラジオリソースを提供し、ＭＢＭＳサービスのサービスエリアへのＭＢＭＳサービスデータの有効な配信を担当する。
【０００４】
３ＧＰＰ  Ｒｅｌｅａｓｅ  ６に導入されたこのような新しいキャパシティをサポートするには、ＷＣＤＭＡネットワークに以下のような一連のＭＢＭＳサービス手順を定義する必要がある。
ＭＢＭＳマルチキャストサービスのアクティブ化手順
ＭＢＭＳセッション開始手順
ＭＢＭＳ登録手順
ＭＢＭＳセッション停止手順
ＭＢＭＳ登録解除手順
ＭＢＭＳマルチキャストサービス非アクティブ化手順
ＭＢＭＳブロードキャストサービスのアクティブ化
ＭＢＭＳブロードキャストサービス非アクティブ化手順
ＭＢＭＳブロードキャストセッション開始手順
【０００５】
これらの中で、ＭＢＭＳマルチキャストサービス非アクティブ化手順は、アクティブ化された特定のマルチキャストサービスをユーザ機器ＵＥ  １０１がキャンセルしたいときにＵＥ  １０１とネットワークの間で実施するべきシグナリングのやりとりとオペレーションを定義する。通常ＵＥ  １０１によって開始されるこの手順は、特定ＭＢＭＳサービスのデータサービスをＵＥ  １０１が望まないことをネットワークに気付かせることを目的としている。この非アクティブ化手順を通して、ＵＥ  １０１とネットワークの両方に格納された、ＭＢＭＳサービスに対応するＵＥコンテキスト（以下ＭＢＭＳ  ＵＥコンテキストと表記）が削除される。このコンテキストは、ＭＢＭＳデータの正確な配信と伝送に直接関係する。
【０００６】
図２は、以前のＭＢＭＳマルチキャストサービス非アクティブ化手順の概略図である。以前のＭＢＭＳマルチキャストサービス非アクティブ化手順の詳細は、３ＧＰＰプロトコル（ＴＳ  ２３．２４６  Ｖ６．３．０  ２００４−０６）を参照。図２に示されている手順は、ＵＥ  １０１、ＳＧＳＮ  １０３、およびＧＧＳＮ  １０４のＭＢＭＳ  ＵＥコンテキストの除去のみを考慮に入れており、ＲＮＣに格納されているＭＢＭＳ  ＵＥコンテキストの除去は考慮していない。ＭＢＭＳマルチキャストサービス非アクティブ化手順の後、ＵＥ  １０１がキャンセルしたいマルチキャストサービスの情報は、もはやＵＥ側にもコアネットワーク側にもない。つまり、この手順の後は、ＲＮＣから対応するＭＢＭＳ  ＵＥコンテキストを除去するためのトリガー条件は他にないのである。したがって、ＵＥ  １０１が特定マルチキャストサービスをキャンセルする手順の後も、対応するＭＢＭＳ  ＵＥコンテキストは依然としてＲＮＣにとどまる。この結果、たとえＵＥ  １０１が特定ＭＢＭＳサービスについての非アクティブ化を実行し、ＵＥ  １０１が位置しているセルにはこのＭＢＭＳサービスに申し込んだ他のＵＥはない場合も、ＭＢＭＳマルチキャストサービスデータの後続の配信手順において、ＲＮＣが依然としてそのシステムリソースをＵＥ  １０１が位置しているセルに割り当てて、対応するサービスデータを送信することになる場合がある。このような結果は、ＵＥ  １０１が非アクティブ化手順を通して達成したいと望んでいるＭＢＭＳサービスのキャンセルという目的から逸脱しているだけでなく、ラジオリソースの浪費でもある。さらに、各ネットワーク要素（ＵＥ、ＲＮＣ、ＳＧＳＮ、ＧＧＳＮ）に格納されているＭＢＭＳ  ＵＥコンテキストが一貫していないと同時に、ＲＮＣは事実上役に立たない情報を保持するため、ＲＮＣのストレージスペースを浪費することになる。その結果、これによって、隠れた問題が発生し、今後の製品の適切な実装を損なう可能性がある。
【非特許文献１】３ＧＰＰプロトコル（ＴＳ  ２３．２４６  Ｖ６．３．０  ２００４−０６）
【発明の開示】
【発明が解決しようとする課題】
【０００７】
したがって、本発明の目的は、以前のＭＢＭＳ非アクティブ化手順でラジオリソースの浪費と関連するネットワーク要素間におけるデータの一貫性の欠如が発生し、これにより隠れた問題が生じる、という技術的な問題を解決することである。
【課題を解決するための手段】
【０００８】
本発明は、この目的を達成するために、
ＳＧＳＮで、マルチメディアブロードキャストマルチキャストサービスのユーザ機器のコンテキストの非アクティブ化を完了するステップと、
ユーザ機器で、マルチメディアブロードキャストマルチキャストサービスのユーザ機器のコンテキストの非アクティブ化を完了するステップと、
ＧＧＳＮで、マルチメディアブロードキャストマルチキャストサービスのユーザ機器のコンテキストの非アクティブ化を完了するステップとを含む無線通信システムのためのマルチメディアブロードキャストマルチキャストサービスの非アクティブ化方法を提供し、
これらのステップは、ＳＧＳＮがマルチメディアブロードキャストマルチキャストサービスのユーザ機器のコンテキストの非アクティブ化を完了した後で、ラジオアクセスネットワークのラジオネットワークコントローラにおけるマルチメディアブロードキャストマルチキャストサービスのユーザ機器のコンテキストの非アクティブ化を完了するステップをさらに含むことを特徴とする。
【０００９】
本発明は、無線通信システムのためのマルチメディアブロードキャストマルチキャストサービスの非アクティブ化方法をさらに提供し、この方法は、
特別な状況で、ラジオアクセスネットワークのラジオネットワークコントローラは、サービス提供ＧＰＲＳサポートノードにより、マルチメディアブロードキャストマルチキャストサービスのユーザ機器のコンテキストの非アクティブ化を実行するようにトリガーされるステップを含むことを特徴とする。
【００１０】
本発明は、無線通信システムでマルチメディアブロードキャストマルチキャストサービスをサポートすることが可能なサービス提供ＧＰＲＳサポートノードをさらに提供し、このサービス提供ＧＰＲＳサポートノードは、
マルチメディアブロードキャストマルチキャストサービスのユーザ機器のリンク解除をリクエストするための手段と、マルチメディアブロードキャストマルチキャストサービスのユーザ機器のコンテキストの非アクティブ化を前記ラジオネットワークコントローラで完了することをリクエストするために前記サービス提供ＧＰＲＳサポートノードがマルチメディアブロードキャストマルチキャストサービスのユーザ機器のコンテキストの非アクティブ化を完了した後でマルチメディアブロードキャストマルチキャストサービスのユーザ機器のリンク解除リクエストメッセージをラジオアクセスネットワークのラジオネットワークコントローラに伝送するための手段と、マルチメディアブロードキャストマルチキャストサービスのユーザ機器のコンテキストの非アクティブ化を前記ラジオネットワークコントローラで完了することをリクエストするために前記無線通信システムによる前記マルチメディアブロードキャストマルチキャストサービスの処理でエラーが発生したときにマルチメディアブロードキャストマルチキャストサービスのユーザ機器のリンク解除リクエストメッセージを前記ラジオネットワークコントローラに伝送するための手段とを含むことを特徴とする。
【００１１】
本発明は、無線通信ネットワークでマルチメディアブロードキャストマルチキャストサービスをサポートすることが可能な無線ネットワークコントローラをさらに提供し、これは、
マルチメディアブロードキャストマルチキャストサービスのユーザ機器のリンク解除に応答するための手段と、マルチメディアブロードキャストマルチキャストサービスのユーザ機器のリンク解除リクエストメッセージがサービス提供ＧＰＲＳサポートノードから受信されたときにマルチメディアブロードキャストマルチキャストのユーザ機器のコンテキストの非アクティブ化を前記ラジオネットワークコントローラで完了するように指示するための手段と、マルチメディアブロードキャストマルチキャストサービスのユーザ機器のコンテキストの非アクティブ化の処理が成功した旨または前記ラジオネットワークコントローラで行われていない旨を報告するためにマルチメディアブロードキャストマルチキャストサービスのユーザ機器のリンク解除応答メッセージを前記サービス提供ＧＰＲＳサポートノードに後で伝送するための手段とを含むことを特徴とする。
【００１２】
本発明のマルチメディアブロードキャストマルチキャストサービスの非アクティブ化方法によれば、ＵＥ、ＳＧＳＮ、およびＧＧＳＮのＭＢＭＳ  ＵＥコンテキストだけでなく、ＲＮＣのＭＢＭＳ  ＵＥコンテキストも削除されるため、無線リソースの浪費が回避され、ネットワーク要素間でデータが一貫していないことによって引き起こされる見えない問題がなくなり、今後の製品を適切に実現するための基礎が構築される。
【００１３】
本発明の他の特徴と利点は、本発明の実施形態の詳細な説明を添付の図面と併せて読むとより明らかになるだろう。
【発明を実施するための最良の形態】
【００１４】
以下に、本発明の実施形態を添付の図面を使って詳細に説明していく。
【００１５】
図１と図２については前述されている。
【００１６】
図３は、本発明によるＭＢＭＳマルチキャストサービス非アクティブ化手順の概略図である。
【００１７】
図３に示されているように、ＵＥ  １０１は、ＩＰマルチキャストアドレスによって識別される特定のマルチキャストサービスを中止する（ｌｅａｖｅ）ために、ＩＰｖ４ベースのＩＧＭＰまたはＩＰｖ６ベースのＭＬＤリーブ（Ｌｅａｖｅ）メッセージを、デフォルトのサービスリクエストおよびパケットデータプロトコル（ＰＤＰ）メッセージ上で送信する。
【００１８】
ステップ２で、ＧＧＳＮ  １０４は、ＩＰマルチキャストアドレスと国際モバイルユーザ加入者識別子（Ｉｎｔｅｒｎａｔｉｏｎａｌ  Ｍｏｂｉｌｅ  Ｕｓｅｒ  Ｓｕｂｓｃｒｉｂｅｒ  ｉｄｅｎｔｉｆｉｅｒ：ＩＭＳＩ）などを含むリーブ示唆（Ｌｅａｖｅ  Ｉｎｄｉｃａｔｉｏｎ）メッセージをＢＭ−ＳＣ  １０５に送信して、ＩＰマルチキャストアドレスで識別されるマルチキャストサービスを中止することをＵＥ  １０１がリクエストしていることを示す。
【００１９】
ステップ３で、ＢＭ−ＳＣ  １０５はリーブ示唆メッセージを受信して、ＩＰマルチキャストアドレスが有効なＭＢＭＳ伝送サービスに対応しているかどうかを確認し、ＩＰマルチキャストアドレス、アクセスポイント名（ＡＰＮ）、およびＩＭＳＩパラメータなどを含むＵＥ除去リクエストメッセージを、リーブ示唆メッセージを発信したＧＧＳＮ  １０４に送信する。ＡＰＮは、ＵＥ  １０１がマルチキャストサービスをアクティブ化したときにＢＭ−ＳＣ  １０５によって提供されたものと同じになる。さらに、サービス固有の理由から（例えば、マルチキャストサービスは終了したが、ＵＥ  １０１はまだマルチキャストサービスが属するマルチキャストグループを離れていないときなど）、ＢＭ−ＳＣ  １０５はＵＥ除去メッセージをＧＧＳＮ  １０４に直接送信することでＭＢＭＳ  ＵＥコンテキストの非アクティブ化を開始することもある。
【００２０】
ステップ４で、ＧＧＳＮ  １０４はＵＥ除去リクエストメッセージを受信して、ＭＢＭＳ  ＵＥコンテキスト非アクティブ化リクエストメッセージをＳＧＳＮ  １０３に送信する。メッセージによって伝達されるＩＰマルチキャストアドレス、ＡＰＮ、およびＩＭＳＩが連携して、ＳＧＳＮ  １０３によって削除されるべきＭＢＭＳ  ＵＥコンテキストを識別する。ＡＰＮはステップ３で受信されたものである。ＳＧＳＮ  １０３はＭＢＭＳ  ＵＥコンテキスト非アクティブ化応答メッセージをＧＧＳＮ  １０４に送信することで、受信したＭＢＭＳ  ＵＥコンテキスト非アクティブ化リクエストに応答する。さらに、ＧＧＳＮ  １０４は、他の理由から（エラーが発生したときなど）、ＭＢＭＳ  ＵＥコンテキスト非アクティブ化リクエストメッセージをＳＧＳＮ  １０３に送信することもある。
【００２１】
ステップ５で、ＲＡＮ  １０２のＲＮＣのＭＢＭＳ  ＵＥコンテキストの除去が達成される。ステップ５で、ＭＢＭＳ  ＵＥコンテキストの除去は、３ＧＰＰで定義されている「ＭＢＭＳ  ＵＥリンク解除」シグナリング手順を採用することで遂行される。このシグナリング手順は、「ＭＢＭＳ  ＵＥリンク解除リクエストメッセージ」と「ＭＢＭＳ  ＵＥリンク解除応答メッセージ」によって実施される。ステップ５は、分散ツリーの上から下の順に情報を削除する方式に従っている。つまり、最初に、ネットワークのあるノードの対応する情報を削除し、次にそのノードのダウンストリームノードの対応する情報を削除する。このように、「ＭＢＭＳ  ＵＥリンク解除」シグナリング手順は、ＳＧＳＮ  １０３が「ＭＢＭＳ  ＵＥコンテキスト非アクティブ化」手順を完了した後で（つまりステップ４の後で）実行される。
【００２２】
ステップ５では具体的に、ＳＧＳＮ  １０３はＭＢＭＳ  ＵＥコンテキスト非アクティブ化リクエストメッセージを受信すると、ＩＰマルチキャストアドレス、ＡＰＮ、ＩＭＳＩパラメータなどを含むＭＢＭＳ  ＵＥリンク解除リクエストメッセージをＲＡＮ  １０２に送信する。ＲＡＮ  １０２はＲＮＣに格納されているＭＢＭＳ  ＵＥコンテキストを削除して、ＲＮＣがＲＡＮ  １０２のＲＮＣ側のＭＢＭＳ  ＵＥコンテキストを問題なく削除できたかどうかをＳＧＳＮ  １０３に報告するために、ＩＰマルチキャストアドレス、ＡＰＮ、ＩＭＳＩパラメータなどを含むＭＢＭＳ  ＵＥコンテキスト非アクティブ化応答メッセージをＳＧＳＮ  １０３に送信する。さらに、ＳＧＳＮ  １０３は、他の理由から（エラーが発生したときなど）、ＭＢＭＳ  ＵＥリンク解除リクエストメッセージをＲＡＮ  １０２に送信することもある。
【００２３】
上記に説明されているステップ５が、図３と図２の主な技術的相違点となる。
【００２４】
ステップ６で、ＳＧＳＮ  １０３はＭＢＭＳ  ＵＥコンテキスト非アクティブ化リクエストメッセージを受信して、ＭＢＭＳ  ＵＥコンテキストの非アクティブ化のリクエストメッセージをＵＥ  １０１に送信する。ＭＢＭＳ  ＵＥコンテキストの非アクティブ化のリクエストメッセージは、ＵＥ  １０１によって削除されるべきＭＢＭＳ  ＵＥコンテキストを識別するために使用されるパラメータを伝達する。さらに、ＳＧＳＮ  １０３は、他の理由から（ユーザのローミング制限の変更によるものなど）、ＭＢＭＳ  ＵＥコンテキストの非アクティブ化のリクエストメッセージをＵＥ  １０１に送信することもある。
【００２５】
ステップ７で、ＵＥ  １０１は受信したリクエストメッセージに従ってＭＢＭＳ  ＵＥコンテキストを削除し、ＭＢＭＳ  ＵＥコンテキストの非アクティブ化の受諾メッセージをＳＧＳＮ  １０３に送信する。
【００２６】
ＭＢＭＳデータの受信用に現在の専用ラジオリソースがＵＥ  １０１に割り当てられている場合は、ＲＡＮ  １０２はステップ８でこれらのラジオリソースを解放する。ＭＢＭＳデータの送信用に現在の共有ラジオリソースが割り当てられている場合は、ＲＡＮ  １０２は専用リソースに残りのＵＥを転送する場合がある。ステップ８は図３の中で、破線で囲んで示されている。
【００２７】
ステップ９で、ＳＧＳＮ  １０３はＭＢＭＳ  ＵＥコンテキストの非アクティブ化の受諾メッセージを受信して、ＭＢＭＳ  ＵＥコンテキストを保持するＧＧＳＮ  １０４２にＭＢＭＳコンテキストの削除のリクエストメッセージを送信する。このＧＧＳＮ  １０４２は、ステップ１でＩＧＭＰリーブメッセージを受信したＧＧＳＮ  １０４とは異なる場合もある。さらに、ＳＧＳＮ  １０３は、他の理由から（定期的な更新を行わなかったことによるものなど）、ＭＢＭＳコンテキストの削除のリクエストメッセージをＧＧＳＮ  １０４２に送信することもある。
【００２８】
ステップ１０で、ＧＧＳＮ  １０４２は受信したリクエストメッセージに従ってＭＢＭＳ  ＵＥコンテキストを削除し、ＭＢＭＳ  ＵＥコンテキストの非アクティブ化の成功を確認する非アクティブ化示唆メッセージをＢＭ−ＳＣ  １０５に送信する。ＢＭ−ＳＣ  １０５は非アクティブ化示唆メッセージの受信後、ＭＢＭＳ  ＵＥコンテキストを削除して、ＧＧＳＮ  １０４２に非アクティブ化確認メッセージを送信する。
【００２９】
ステップ１１で、他のどのＵＥもＭＢＭＳ伝送サービスを使用していないかまたは使用を期待しておらず、対応するＭＢＭＳ伝送コンテキストのダウンストリームノードのリストが空であるとＧＧＳＮ  １０４２が判断すると、ＧＧＳＮ  １０４２はＭＢＭＳ登録解除リクエストメッセージをＢＭ−ＳＣ  １０５に送信する。ＢＭ−ＳＣ  １０５はＭＢＭＳ登録解除応答メッセージで応答し、そのＭＢＭＳ伝送コンテキストのダウンストリームノードパラメータのリストからＧＧＳＮ  １０４２の識別番号を除去する。ステップ１１は図３の中で、矢印付きの破線で示されている。
【００３０】
ステップ１２で、ＧＧＳＮ  １０４２はＭＢＭＳコンテキストの削除の応答メッセージをＳＧＳＮ  １０３に送信することで、ＭＢＭＳ  ＵＥコンテキストの非アクティブ化を確認する。ＳＧＳＮ  １０３はＭＢＭＳコンテキストの削除の応答メッセージを受信した後で、ＭＢＭＳ  ＵＥコンテキストを削除する。
【００３１】
ステップ１３で、他のどのＵＥもこのＭＢＭＳ伝送サービスを使用していないかまたは使用を期待しておらず、対応するＭＢＭＳ伝送コンテキストのダウンストリームノードのリストが空であるとＳＧＳＮ  １０３が判断すると、ＳＧＳＮ  １０３はＭＢＭＳ登録解除リクエストメッセージをＧＧＳＮ  １０４２に送信する。ＧＧＳＮ  １０４２はＭＢＭＳ登録解除応答メッセージで応答し、ＭＢＭＳ伝送コンテキストのダウンストリームノードパラメータのリストからＳＧＳＮ  １０３の識別番号を除去する。ステップ１３は図３の中で、矢印付きの破線で示されている。
【００３２】
図３で明らかなように、ＭＢＭＳマルチキャストサービス非アクティブ化手順は、ＵＥ  １０１とネットワークの間のシグナリング手順である。本発明の非アクティブ化手順は、ＵＥ  １０１、ＳＧＳＮ  １０３、ＲＡＮ  １０２、およびＧＧＳＮ  １０４、１０４２から、特定のＭＢＭＳサービスのＭＢＭＳ  ＵＥコンテキストを除去する。マルチキャストサービス非アクティブ化手順は、ＵＥ  １０１、ＧＧＳＮ  １０４、１０４２、ＢＭ−ＳＣ  １０５、またはＳＧＳＮ  １０３によって開始することができる。これらのすべてのケースは、図３に示された手順に含まれている。ＵＥ  １０１はステップ１で非アクティブ化手順の開始をスタートし、ＢＭ−ＭＣ  １０５はステップ３で非アクティブ化手順の開始をスタートし、ＧＧＳＮ  １０４、１０４２はステップ４で非アクティブ化手順の開始をスタートし、ＳＧＳＮ  １０３はステップ６またはステップ９で非アクティブ化手順の開始をスタートする。
【００３３】
最後に、本発明は、図１に示されているＷＣＤＭＡ通信システムのＳＧＳＮ  １０３またはＲＡＮ  １０２のＲＮＣ（示されていない）を本発明のＳＧＳＮとＲＮＣで置き換えても、実行することができる。
【００３４】
本発明のＳＧＳＮには、従来のＳＧＳＮのコンポーネントの他に、
マルチメディアブロードキャストマルチキャストサービスのユーザ機器のリンク解除をリクエストするための手段と、マルチメディアブロードキャストマルチキャストサービスのユーザ機器のコンテキストの非アクティブ化が前記ラジオネットワークコントローラで完了することをリクエストするために前記サービス提供ＧＰＲＳサポートノードがマルチメディアブロードキャストマルチキャストサービスのユーザ機器のコンテキストの非アクティブ化を完了した後でマルチメディアブロードキャストマルチキャストサービスのユーザ機器のリンク解除リクエストメッセージをラジオアクセスネットワークのラジオネットワークコントローラに伝送するための手段と、マルチメディアブロードキャストマルチキャストサービスのユーザ機器のコンテキストの非アクティブ化を前記ラジオネットワークコントローラで完了することをリクエストするために前記無線通信システムによる前記マルチメディアブロードキャストマルチキャストサービスの処理でエラーが発生したときにマルチメディアブロードキャストマルチキャストサービスのユーザ機器のリンク解除リクエストメッセージを前記ラジオネットワークコントローラに伝送するための手段がさらに含まれる。
【００３５】
本発明のＲＮＣには、従来のＲＮＣのコンポーネントの他に、
マルチメディアブロードキャストマルチキャストサービスのユーザ機器のリンク解除に応答するための手段と、マルチメディアブロードキャストマルチキャストサービスのユーザ機器のリンク解除リクエストメッセージがサービス提供ＧＰＲＳサポートノードから受信されたときにマルチメディアブロードキャストマルチキャストのユーザ機器のコンテキストの非アクティブ化を前記ラジオネットワークコントローラで完了するように指示するための手段と、マルチメディアブロードキャストマルチキャストサービスのユーザ機器のコンテキストの非アクティブ化の処理が成功した旨または前記ラジオネットワークコントローラで行われていない旨を報告するためにマルチメディアブロードキャストマルチキャストサービスのユーザ機器のリンク解除応答メッセージを前記サービス提供ＧＰＲＳサポートノードに後で伝送するための手段がさらに含まれる。
【００３６】
本明細書を読んだ当業者は、創造的作業は一切行わないで本発明のＳＧＳＮとＲＮＣを容易に実行することができる。
【００３７】
本発明の実施形態は添付の図面を使って説明されているが、当業者は添付の特許請求の範囲で定義されている範囲から逸脱することなく様々な修正や変更を行うことができる。
【図面の簡単な説明】
【００３８】
【図１】ＭＢＭＳを提供するＷＣＤＭＡ通信システムのアーキテクチャを示す概略図である。
【図２】以前のＭＢＭＳマルチキャストサービス非アクティブ化手順の概略図である。
【図３】本発明によるＭＢＭＳマルチキャストサービス非アクティブ化手順の概略図である。
【符号の説明】
【００３９】
ＲＡＮ  ラジオアクセスネットワーク
ＲＮＣ  ラジオネットワークコントローラ
ＳＧＳＮ  サービス提供ＧＰＲＳサポートノード
ＧＧＳＮ  ゲートウェイＧＰＲＳサポートノード
ＢＭ−ＳＣ  ブロードキャストマルチキャストサービスセンター
ＭＢＭＳ  マルチメディアブロードキャストマルチキャストサービス
【図１】
2006081173.tif 000003
【図２】
2006081173.tif 000004
【図３】
2006081173.tif 000005
【外国語明細書】
2006081173.tif 000006
2006081173.tif 000007
2006081173.tif 000008
2006081173.tif 000009
2006081173.tif 000010
2006081173.tif 000011
2006081173.tif 000012
2006081173.tif 000013
2006081173.tif 000014
2006081173.tif 000015
2006081173.tif 000016
2006081173.tif 000017
2006081173.tif 000018
2006081173.tif 000019
2006081173.tif 000020
2006081173.tif 000021
2006081173.tif 000022
2006081173.tif 000023
2006081173.tif 000024
2006081173.tif 000025
2006081173.tif 000026
2006081173.tif 000027
2006081173.tif 000028
2006081173.tif 000029